(57)【要約】【課題】本発明は、電気エネルギーを必要とせず、取扱い性および安全性に優れ、低コストであり、かつ十分に薬剤を揮散させ得る薬剤揮散方法および薬剤揮散器具を提供する。【解決手段】本発明は、自然光を集光することで生じる熱を用いて、担体に含有させた薬剤を加熱して揮散させることを特徴とする薬剤揮散方法、並びに、自然光を集めるための集光部１０８と、自然光が集光する位置に薬剤を含有する担体１０４とを備えることを特徴とする薬剤揮散器具１０に関する。【選択図】図１
2017153421.tif 000002
【特許請求の範囲】
【請求項１】
自然光を集光することで生じる熱を用いて、担体に含有させた薬剤を加熱して揮散させることを特徴とする薬剤揮散方法。
【請求項２】
自然光を集めるための集光部と、自然光が集光する位置に薬剤を含有する担体とを備えることを特徴とする薬剤揮散器具。
【発明の詳細な説明】
【技術分野】
【０００１】
本発明は、薬剤揮散方法および薬剤揮散器具に関する。
【背景技術】
【０００２】
従来から、害虫防除、芳香または医療等の各種用途に対応する揮散性の薬剤を大気中に拡散させる薬剤揮散器具が知られている。例えば害虫防除器具として、害虫防除成分を含有する担体をチャンバ内に支持し、チャンバ内に装備されたモータにより駆動されるファンの回転により発生する気流を該担体に当てて、害虫防除成分をチャンバ外に揮散させる器具が知られている。
【０００３】
しかし、従来の薬剤揮散器具はその大部分が電気エネルギーを必要としている。上記のようにファンを使用する器具では、モータを駆動するための電源を用意する必要があり、器具の操作に手間がかかるという問題点がある。
【０００４】
一方、自然蒸散性の薬剤を用いる器具や、エアゾールタイプの器具も知られているが、前者は薬剤の揮散量が少なく効果も低いという問題があり、後者は高圧ガスを使用するため、火気または高温等、その取扱いに注意しなければならないという問題点がある。
【０００５】
このように、電気エネルギーを必要とせず、取扱い性および安全性に優れ、低コストであり、かつ十分に薬剤を揮散させ得る薬剤揮散方法および薬剤揮散器具は、従来技術において具体的に開示されていない。
【０００６】
なお、発光器具から生じるエネルギーを熱エネルギーとして利用する器具については、例えば下記特許文献１および２に開示がある。また、レンズを用いて液体揮散容器の装飾性を向上させる技術や、レンズを用いて薬液ボトルの薬剤残量を容易に確認する技術は下記特許文献３および４にそれぞれ開示されているが、下記で説明する本発明の構成を開示または示唆するものではない。
【先行技術文献】
【特許文献】
【０００７】
【特許文献１】特開２００６−９８０１５号公報
【特許文献２】特開平８−２０５０４号公報
【特許文献３】特開２００６−２８２２３８号公報
【特許文献４】特開平９−２０５９６５号公報
【発明の概要】
【発明が解決しようとする課題】
【０００８】
したがって本発明の目的は、電気エネルギーを必要とせず、取扱い性および安全性に優れ、低コストであり、かつ十分に薬剤を揮散させ得る薬剤揮散方法および薬剤揮散器具を提供することにある。
【課題を解決するための手段】
【０００９】
本発明者は鋭意検討を重ねた結果、自然光を集光することで生じる熱を用いることにより、電気エネルギーを必要とせず、取扱い性および安全性に優れ、低コストであり、かつ十分に薬剤を揮散させる効果が発揮されることを見出し、本発明を完成するに至った。
【００１０】
本発明は以下の（１）および（２）によって達成される。
（１）自然光を集光することで生じる熱を用いて、担体に含有させた薬剤を加熱して揮散させることを特徴とする薬剤揮散方法。
（２）自然光を集めるための集光部と、自然光が集光する位置に薬剤を含有する担体とを備えることを特徴とする薬剤揮散器具。
【発明の効果】
【００１１】
本発明の薬剤揮散方法および薬剤揮散器具は、自然光を集光することで生じる熱を用いることから、コンセントまたは電池等の電源を用意する必要がない。すなわち、電気エネルギーを必要とせず、取扱い性に優れ、低コストである。また、火気または高温等の使用環境下の制限が少ないため、安全性にも優れる。さらに、自然光の集光により十分な熱を薬剤に提供でき、薬剤の良好な揮散を得ることができる。
【図面の簡単な説明】
【００１２】
【図１】図１は、本発明の薬剤揮散器具の一例を説明するための図である。
【図２】図２は、実施例で使用した薬剤揮散器具を説明するための図である。
【図３】図３は、供試虫試料の設置場所を説明するための図である。
【図４】図４は、実施例１の結果を示すグラフである。
【図５】図５は、実施例２の結果を示すグラフである。
【図６】図６（Ａ）および図６（Ｂ）は、比較例１の結果を示すグラフである。
【発明を実施するための形態】
【００１３】
以下、本発明の実施形態についてさらに詳しく説明する。本発明の薬剤揮散方法は、自然光を集光することで生じる熱を用いて、担体に含有させた薬剤を加熱して揮散させることを特徴としている。
【００１４】
本発明における自然光とは、太陽光、太陽光と類似の発光スペクトルを有する人工光源、可視光、近赤外線または赤外線等を意味するが、取扱い性および安全性に優れ、低コストであり、かつ十分に薬剤を揮散できるだけの光エネルギーを有するという観点から、太陽光が好ましい。
【００１５】
自然光を集光するための集光器としては、公知の各種集光器を使用することができ、例えば、凸レンズ、魚眼レンズおよびフレネルレンズ等のレンズ類、放物面鏡、トラフ型およびパラボラ型等のミラー類、並びに集光ロッド等が挙げられる。中でも、自然光を効率的に集光できるという観点からレンズ類が好ましく、低コストおよび入手の容易性の観点から凸レンズがさらに好ましい。
【００１６】
本発明に使用される薬剤としては、自然光を集光することで生じる熱により揮散できるものであれば、用途に応じて種々選択することができる。薬剤の有効成分としては、例えば、害虫防除剤、殺菌剤、芳香剤および消臭剤等が挙げられる。
【００１７】
害虫防除剤としては、例えば、エンペンスリン、トランスフルトリン、メトフルトリンプロフルトリン、フェノトリン及びペルメトリン等のピレスロイド系化合物、並びにフェニトロチオン、ダイアジノン、マラソン、ピリダフェンチオン、プロチオホス、ホキシム、クロルピリオスおよびジクロルボス等の有機リン系化合物、カルバリルなどのカーバメート系化合物、メトキサジアゾンなどのオキサジゾール系化合物等を挙げることができる。この中でも、トランスフルトリン、メトフルトリンまたはプロフルトリンが好ましい。
【００１８】
また、芳香または消臭を目的とする場合は、例えば、ラウリルメタクリレート、ゲラニルクロトネートおよびカテキン等の消臭剤、バラ油、ラベンダー油およびハッカ油等の精油、並びにピネン、リモネン、リナロール、メントールおよびオイゲノール等の香料等が挙げられる。
【００１９】
本発明で使用される薬剤の揮散性をさらに高めるために、薬剤の一部に溶剤や助剤を用いることができる。例えば、灯油、流動パラフィン、アルコール類、グリコールおよびグリコールエーテル類、ラウリン酸ヘキシル、ミリスチン酸イソプロピル等の溶剤、ジブチルヒドロキシトルエン、ペンタエリスリトールテトラキス等の酸化防止剤等を添加してもよい。また必要に応じて色素のような公知の各種添加剤も併用することができる。
【００２０】
本発明で使用される担体としては、薬剤を十分に保持できるものであればとくに制限されない。材質としては、例えば、無機質および有機質の成型材料が挙げられる。それらから成型されたものとしては、例えば、紙類（例えば、濾紙、パルプおよび厚紙など）、樹脂類（例えば、ポリエチレン、ポリプロピレン、ポリ塩化ビニル、エチレン・酢酸ビニル樹脂および高吸油性ポリマーなど）、セラミック、ガラス繊維、炭素繊維、化学繊維（例えば、ポリエステル、ナイロン、アクリル、ビニロン、ポリエチレン製およびポリプロピレン製など）および天然繊維（例えば、木綿、絹、羊毛および麻など）などからの不織布、多孔性ガラス材料並びに金網などが挙げられる。
【００２１】
担体の形態、サイズ等は、用途に応じて任意に設定可能である。例えば、矩形状、円形状、ハニカム形状、スノコ形状、蛇腹形状、網形状、スリット形状および粒状等が挙げられる。中でも、十分な薬剤量を保持し、なおかつ効率よく揮散できるという観点から、表面積が大きいスポンジや不織布などの形態であるものがさらに好ましい。
【００２２】
担体に薬剤を保持させる方法としては、特に限定されないが、例えば、担体を薬剤溶液に含浸し溶媒を除去することにより担体に保持させることができる。または、担体に薬剤を滴下塗布、含浸塗布またはスプレー塗布する等の液状塗布方法、液状印刷およびはけ塗り等の方法等が挙げられる。なお薬剤が液状のものでない場合は、例えば、担体への混練込み、塗布および印刷等の方法を適用できる。また、吸着用担体（薬剤を担体に保持させるための補助材）を使用する場合、吸着用担体としては、例えば、ゲル化物質（例えば、寒天、カラギーナン、澱粉、ゼラチンおよびアルギン酸など）および可塑化高分子物質などが挙げられる。高分子物質を可塑化する場合には、例えばジオクチルフタレートなどが使用される。
【００２３】
担体における薬剤の保持量は、担体全体の質量に対し、例えば１〜５００質量％であり、好ましくは１０〜４００質量％である。
【００２４】
本発明の薬剤揮散方法の一実施形態としては、太陽光を凸レンズのような集光器で集光して薬剤を保持する担体に向かって照射し、薬剤を加熱して揮散させ、害虫防除、消臭または芳香等の用途に適用することができる。
【００２５】
次に本発明の薬剤揮散器具について説明する。本発明の薬剤揮散器具は、自然光を集めるための集光部と、自然光が集光する位置に薬剤を含有する担体とを備える。
【００２６】
図１は、本発明の薬剤揮散器具の一例を説明するための図である。本発明の薬剤揮散器具１０は、基台１０２と、基台１０２上に載置された薬剤を含有する担体１０４と、基台１０２に一端を支持されたアーム１０６と、自然光を集めるとともにアーム１０６の他端に連結された集光部１０８とを有する。あるいは、集光部１０８は、アーム１０６を使用せずに、例えば基台１０２に設けたスリットや支持孔などを介して直接配設されていてもよい。薬剤としては前述のようにとくに制限されず、害虫防除剤、消臭剤または芳香剤等、目的に応じて種々選択することができる。担体１０４としては前述のような薬剤を十分に保持できる各種材料が挙げられる。集光部１０８としては前述のように公知の各種集光器を使用することができる。
【００２７】
薬剤を含有する担体１０４は、集光部１０８により集光された自然光が照射される位置に載置される。このため、例えばアーム１０６の一部にジョイント３（例えば、ボールジョイント）を設け、集光部１０８を任意の方向に回転可能にしておけば、自然光の入射角度に合わせて集光部１０８の角度を調節し、効率的な集光および薬剤の加熱を図ることができる。
【００２８】
本発明の薬剤揮散器具１０の一使用例について説明する。本発明の薬剤揮散器具１０を屋外に設置し、蚊のような害虫を防除する場合は、まず薬剤揮散器具１０を屋外に持ち運び、地面に対して安定となるように基台１０２を設置する。トランスフルトリンのようなピレスロイド系化合物を保持した担体１０４を基台１０２上に固定し、太陽光の集光が担体１０４に効率良く照射されるように太陽光の入射角度を考慮して、集光部１０８の角度を調節する。また、担体１０４を効率的に加熱するために、集光部１０８によって集められた光の焦点部分の温度が、６０〜４５０℃、好ましくは７０〜４００℃、さらに好ましくは８０〜３５０℃に加熱されるように、担体１０４と集光部１０８の距離を調節する。目安としては、担体１０４に現れる光の焦点直径が５ｃｍ以下、好ましくは２ｃｍ以下、さらに好ましくは１ｃｍ以下になるのが良い。焦点の直径が小さすぎると、一部分に過剰な熱エネルギーが集中することで、担体が熱劣化または発火する可能性があるため、焦点の直径は１ｍｍ以上であることが好ましい。これにより、担体１０４に保持された薬剤が適度に加熱され揮散し、薬剤揮散器具１０の周囲の一定範囲にわたり、蚊のような害虫を駆除することができる。
【００２９】
また、集光された太陽光の照射場所は、地球の自転により変化することから、該照射が担体１０４上から外れたときには薬剤の揮散は生じない。これにより毎日一定の時間範囲にのみ薬剤の揮散が可能となる。また担体１０４として連日の繰り返し加熱に耐性を有するものを選択することにより、長期間にわたり器具の使用が可能となる。
【００３０】
なお必要に応じて太陽光の入射角度に対して常に効率的な集光部１０８の角度が得られるように、公知の太陽光追跡手段と本発明の薬剤揮散器具１０とを協働させてもよい。また、本発明の薬剤揮散器具１０を屋外で使用する場合、晴天時が効果的であるが、曇天時でも一定の効果を奏することができる。
【００３１】
また上記では蚊のような害虫の防除を例にとり説明したが、消臭剤または芳香剤等、目的に応じて薬剤または担体１０４等の種類を種々選択することができることは勿論である。
【実施例】
【００３２】
以下、本発明を実施例および比較例によりさらに説明するが、本発明は下記例に制限されるものではない。
【００３３】
実施例１
＜試験検体の作製＞
担体として矩形のセルロース製スポンジ［イオン（株）製ＴＯＰＶＡＬＵセルローススポンジ］（サイズ：縦７ｃｍ、横１０ｃｍ、厚さ４ｃｍ、質量１０ｇ）に、下記処方の薬剤約３０ｇを滴下し含浸させた。
【００３４】
薬剤処方
トランスフルトリン：６１．３質量％
流動パラフィン：３０．７質量％
ジブチルヒドロキシトルエン：０．３１質量％
ジエチル（３，５−ジ−ｔ−ブチル−４−ヒドロキシベンジル）ホスホネート：  ０．２３質量％
赤色色素および青色色素：７．４６質量％
【００３５】
＜供試虫試料＞
アカイエカ雌成虫２０頭を、ポリエチレンテレフタレート製メッシュゲージに入れ、供試虫試料とした。この供試虫試料を複数用意した。
【００３６】
＜薬剤揮散器具＞
本実施例で使用した薬剤揮散器具は、図２で示すように、基台１０２と、基台１０２上に載置された薬剤を含有する担体１０４と、基台１０２に一端を支持されたアーム１０６と、自然光を集めるとともにアーム１０６の他端に連結された集光部１０８とを有する。集光部１０８としては円形の凸レンズを２台用いた。凸レンズの直径は、７ｃｍである。レンズ直径凸レンズの角度は、アーム１０６のジョイントＪにより調節した。また凸レンズの焦点距離は７ｃｍである。
【００３７】
薬剤揮散器具を屋外に持ち運び、地面に対して安定となるように基台１０２を設置した。試験条件は１０月、午前１１時、晴天、風速０．２〜０．３ｍ／ｓｅｃ．、気温２７．５℃、相対湿度４８．８％である。
【００３８】
図３に示すように薬剤揮散器具に対し直近、２ｍ、６ｍ離れた位置に供試虫試料を設置し、所定時間経過後のアカイエカ雌成虫のノックダウン虫数をカウントし、供試虫試料中の全体の虫数に対するノックダウン虫の割合をノックダウン率［ＫＤ率（％）］として算出した。結果を図４に示す。
【００３９】
図４に示すように、本発明の薬剤揮散器具を用いることにより、太陽光が集光されトランスフルトリンが加熱され、揮散し、アカイエカの防除が可能であることが判明した。なお、薬剤揮散器具に対し６ｍ離れた位置に供試虫試料を設置した場合、防除効果が低減したが、さらに広い範囲に防除効果を発揮させるには、例えば器具設置後の曝露時間を長くする方法、凸レンズの数を増やす、凸レンズの口径をおおきくする方法がある。
【００４０】
実施例２
実施例１において、試験条件を１０月、午後１時、晴天、風速０．２〜０．３ｍ／ｓｅｃ．、気温２５．５℃、相対湿度４５．３％に変更したこと以外は、実施例１を繰り返した。結果を図５に示す。図５の結果から、実施例１の結果と同様に、本発明の薬剤揮散器具を用いることにより、太陽光が集光されトランスフルトリンが加熱され、揮散し、アカイエカの防除が可能であることが判明した。
【００４１】
比較例１
実施例１において、試験条件を８月下旬の２日間、午後２時、晴天、風速０．３〜０．６ｍ／秒、気温２６．１〜３３．８℃、相対湿度４６．４〜６０．９％に変更し、薬剤揮散器具を用いなかったこと以外は、実施例１を繰り返した。結果を図６に示す。
【００４２】
図６に示すように、本発明の薬剤揮散器具を用いない比較例１では、トランスフルトリンがほとんど揮散せず、アカイエカが防除されないことが判明した。
【符号の説明】
【００４３】
１０  薬剤揮散器具
１０２  基台
１０４  担体
１０６  アーム
１０８  集光部
３  ジョイント
【図１】
2017153421.tif 000003
【図２】
2017153421.tif 000004
【図３】
2017153421.tif 000005
【図４】
2017153421.tif 000006
【図５】
2017153421.tif 000007
【図６】
2017153421.tif 000008